(57)【要約】【課題】小型のバネ及びソレノイドにより可動翼片を効率的に必要角度回動させる。【解決手段】中継リンク３６は、第２支軸３５から遠心方向へ所定量離間した位置にあって、その回動をカムレバー３８を介して可動翼片２１に伝達可能な長溝３６２と、第２支軸３５から遠心方向へ長溝３６２よりも離間した位置にあって、その回動をカムレバー３８を介して可動翼片２１に伝達可能な突部３６１とを有する。可動翼片２１を開放位置から閉鎖位置へ回動させる際、中継リンク３６の初期回動時、長溝３６２が係合部３８４に当接することにより、可動翼片２１を開放位置から閉鎖位置へ向けて所定角回動させ、続いて突部３６１がカム部３８２に当接することにより、可動翼片２１を所定角回動した位置から閉鎖位置まで回動させる。  【選択図】  図５
2009011524.tif 000002
【特許請求の範囲】
【請求項１】
遊技球が打ち込まれる遊技領域に、開閉機構により遊技球が入球し得るほぼ水平状態の開放位置及び入球し得ない起立状態の閉鎖位置に回動可能な可動翼片を備えたパチンコ機の入賞装置において、
前記開閉機構は、前記可動翼片と一体的に第１支軸回りに回動可能なカムレバーと、オンにより一方向へ吸引作動し、オフによりバネの付勢力により他方向へ移動するプランジャを有するソレノイドと、前記ソレノイドのオンによる前記プランジャの一方向への吸引作動に連動して第２支軸回りに回動し、前記カムレバーを介して前記可動翼片を閉鎖位置から開放位置へ回動させ、また、前記ソレノイドのオフによる前記プランジャの他方向への作動に連動して前記第２支軸回りに回動し、前記カムレバーを介して前記可動翼片を開放位置から閉鎖位置へ回動させる中継リンクとを備え、
前記中継リンクは、前記第２支軸から遠心方向へ所定量離間した位置にあって、前記カムレバーに設けた第１被作用部に当接することにより、その回動を前記カムレバーを介して前記可動翼片に伝達可能な第１作用部と、前記第２支軸から遠心方向へ前記第１作用部よりも離間した位置にあって、前記カムレバーの前記第１被作用部と異なる位置に設けた第２被作用部に当接することにより、その回動を前記カムレバーを介して前記可動翼片に伝達可能な第２作用部とを有し、
前記可動翼片を開放位置から閉鎖位置へ回動させる際、前記中継リンクの初期回動時、前記第１作用部が前記第１被作用部に当接することにより、前記可動翼片を開放位置から前記閉鎖位置へ向けて所定角回動させ、続いて前記第２作用部が前記第２被作用部に当接することにより、前記可動翼片を所定角回動した位置から閉鎖位置まで回動させるようにしたことを特徴とするパチンコ機の入賞装置。
【請求項２】
前記第２作用部は、前記中継リンクが前記可動翼片を閉鎖位置へ向けて回動させる方向へ回動するとき、前記第１支軸から漸次離間するように前記第２被作用部を摺接することを特徴とする請求項１記載のパチンコ機の入賞装置。
【請求項３】
前記可動翼片が閉鎖位置にあるとき、前記第２作用部が前記第２被作用部に当接する点を作用点とすると、その作用点と前記第２支軸の中心とを結んだ直線が、前記作用点と前記第１支軸の中心とを結んだ直線に対してほぼ直角になるようにしたことを特徴とする請求項１または２記載のパチンコ機の入賞装置。
【発明の詳細な説明】
【技術分野】
【０００１】
本発明は、遊技領域に打ち込まれる遊技球が入球し得る開放位置及び入球し得ない閉鎖位置に回動可能な可動翼片を備えたパチンコ機の入賞装置に関する。
【背景技術】
【０００２】
パチンコ機においては、遊技領域内に打ち込まれた遊技球が始動入賞口に入賞すると、それを契機に遊技領域のほぼ中央部に配置された役物の可動翼片が、遊技球を受け入れ不能とするほぼ垂直状態の閉鎖位置から受け入れ可能とするほぼ水平状態の開放位置に回動し、受け入れられた遊技球が役物内に設けたＶ入賞口に入賞すると、遊技者に対して有利な特別遊技の権利を発生させるようになっている。
【０００３】
通常、可動翼片を開閉動作させる動力源としては、通電すると直進動作するプランジャを有するソレノイドが使用されている。ソレノイドは、通電されてプランジャが突出位置から没入位置へ吸引作動することによって、可動翼片と一体的に回動可能な連結レバーを介して可動翼片を閉鎖位置から開放位置へ回動させ、また、通電を停止するとバネの付勢力によってプランジャを突出位置に復帰させて、可動翼片をバネの付勢力により閉鎖位置に保持する。
【特許文献１】特開２００１−３２７７１４号公報
【発明の開示】
【発明が解決しようとする課題】
【０００４】
しかし、上記特許文献１に記載されたようなパチンコ機の入賞装置においては、ソレノイドのプランジャを可動翼片と一体に回動する連結レバーに連結しているため、プランジャと連結レバーとの連結点を、可動翼片の回転中心から遠ければ遠いほど軽い力で可動翼片を回動させることができるが、その反面、可動翼片を必要角度（開放位置と閉鎖位置との間の角度）回動させるためには、連結点の作動ストロークが長くなり、作動ストロークが長いバネ及びソレノイドを使用しなければならない。また、連結点を可動翼片の回転中心に近づけると、プランジャの短い作動ストロークで、可動翼片を必要角度回動させることはできるが、その反面、今度は、大きな力で可動翼片を必要角度回動させなければならないため、付勢力の大きなバネ及び大出力のソレノイドを使用しなければならない。
【０００５】
本発明は、上述のような課題に鑑みなされたものであり、小型のバネ及びソレノイドにより可動翼片を効率的に必要角度回動させることができるようにしたパチンコ機の入賞装置を提供することを目的とする。
【課題を解決するための手段】
【０００６】
本発明によると、上記課題は次のようにして解決される。
（１）遊技球が打ち込まれる遊技領域に、開閉機構により遊技球が入球し得るほぼ水平状態の開放位置及び入球し得ない起立状態の閉鎖位置に回動可能な可動翼片を備えたパチンコ機の入賞装置において、前記開閉機構は、前記可動翼片と一体的に第１支軸回りに回動可能なカムレバーと、オンにより一方向へ吸引作動し、オフによりバネの付勢力により他方向へ移動するプランジャを有するソレノイドと、前記ソレノイドのオンによる前記プランジャの一方向への吸引作動に連動して第２支軸回りに回動し、前記カムレバーを介して前記可動翼片を閉鎖位置から開放位置へ回動させ、また、前記ソレノイドのオフによる前記プランジャの他方向への作動に連動して前記第２支軸回りに回動し、前記カムレバーを介して前記可動翼片を開放位置から閉鎖位置へ回動させる中継リンクとを備え、前記中継リンクは、前記第２支軸から遠心方向へ所定量離間した位置にあって、前記カムレバーに設けた第１被作用部に当接することにより、その回動を前記カムレバーを介して前記可動翼片に伝達可能な第１作用部と、前記第２支軸から遠心方向へ前記第１作用部よりも離間した位置にあって、前記カムレバーの前記第１被作用部と異なる位置に設けた第２被作用部に当接することにより、その回動を前記カムレバーを介して前記可動翼片に伝達可能な第２作用部とを有し、前記可動翼片を開放位置から閉鎖位置へ回動させる際、前記中継リンクの初期回動時、前記第１作用部が前記第１被作用部に当接することにより、前記可動翼片を開放位置から前記閉鎖位置へ向けて所定角回動させ、続いて前記第２作用部が前記第２被作用部に当接することにより、前記可動翼片を所定角回動した位置から閉鎖位置まで回動させる。
【０００７】
（２）上記(１)項において、前記第２作用部は、前記中継リンクが前記可動翼片を閉鎖位置へ向けて回動させる方向へ回動するとき、前記第１支軸から漸次離間するように前記第２被作用部を摺接する。
【０００８】
（３）上記(１)または(２)項において、前記可動翼片が閉鎖位置にあるとき、前記第２作用部が前記第２被作用部に当接する点を作用点とすると、その作用点と前記第２支軸の中心とを結んだ直線が、前記作用点と前記第１支軸の中心とを結んだ直線に対してほぼ直角になるようにする。
【発明の効果】
【０００９】
本発明によると、次のような効果を奏することができる。
請求項１に係わる発明によると、大きな力を必要とするほぼ水平状態の開放位置から閉鎖方向へ回動させる際、第２支軸からの作用距離が短い第１作用部によりカムレバーを回動させるため、可動翼片を軽い力で回動させることができる。また、可動翼片が開放位置から所定角回動した位置からは、第２支軸からの作用距離が第１作用部よりも長い第２作用部により、可動翼片を大きく回動させて起立位置まで回動させることができる。これにより、付勢力の小さなバネをもって、可動翼片を開放位置から閉鎖位置へ効率的に回動させることができる。また、プランジャに作用する付勢力が小さくなることから、小型のソレノイドの使用が可能になる。
【００１０】
請求項２に係わる発明によると、可動翼片が閉鎖位置に接近するにしたがって、可動翼片の閉鎖速度を漸次減速させて、閉鎖位置に確実に停止させることができる。
【００１１】
請求項３に係わる発明によると、可動翼片が閉鎖位置にあるとき、可動翼片の開放方向への回動を阻止して、可動翼片を閉鎖位置に確実に保持することができる。
【発明を実施するための最良の形態】
【００１２】
以下、本発明に係る一実施形態を図面に基づいて説明する。図１は、本発明を適用したパチンコ機１の正面図である。なお、以下の説明においては、図１において図面手前を「前方又は表面」とし、図面奧を「後方又は裏面」とし、左方を「左方」とし、右方を「右方」とする。
【００１３】
パチンコ機１は、遊技施設に据付けられる外枠２と、外枠２内に固定され、表面に外側ガイドレール３と内側ガイドレール４とによって包囲された円形状の遊技領域５を形成した遊技盤６と、遊技盤６の表面を覆うとともに、外枠２に開閉可能に支持されたガラス枠扉７とを備えている。
【００１４】
ガラス枠扉７の下方に設けられた球供給皿８に貯留されている遊技球は、ガラス枠扉７の右下に設けられた操作ハンドル９を回動操作することによって、発射装置（図示略）から発射されて、外側ガイドレール３及び内側ガイドレール４により誘導されて遊技領域５に打込まれ、遊技領域５に植設された多数の遊技釘に当接しながら流下する。なお、遊技釘は図面簡素化のため省略してある。
【００１５】
遊技領域５のほぼ中央部には、遊技領域５に打込まれた遊技球を内部に受入可能な役物２０が配置されている。役物２０の上部には、遊技領域５に打ち込まれる遊技球が役物２０内に入球し得るほぼ水平状態の開放位置（図１に想像線で示す位置及び図８に示す位置）及び入球し得ない起立状態の閉鎖位置（図１に実線で示す位置及び図５に示す位置）に回動可能な左右の可動翼片２１が設けられている。遊技領域５における役物２０の下方には、遊技球が入賞または通過可能な第１始動入賞口１０及び左右の第２始動入賞口１１がそれぞれ配置されている。さらに遊技領域５の最下部には、遊技領域５に打込まれた遊技球を遊技盤６の裏面側に排出するアウト口１２が設けられている。
【００１６】
図２は、役物２０を斜め後方から見たその斜視図、図３は、可動翼片２１を開閉動作させるための開閉機構３０の斜視図、図４は、開閉機構３０の分解斜視図、図５〜図８は、開閉機構３０の動作説明図である。なお、左右の開閉機構３０は同一構造であるので、左側の可動翼片２１を作動させる開閉機構３０についてのみ説明する。
【００１７】
役物２０は、遊技領域５に固定され、前面が開口した箱形のハウジング２２を備えている。ハウジング２２の裏側上部には、左右の可動翼片２１が前後方向（水平方向）を向く第１支軸３７により上下方向へ揺動可能に枢支されている。可動翼片２１は、第１始動入賞口１０または第２始動入賞口１１に遊技球が入球したことを契機に、開閉機構３０により所定回数開閉動作を行なう。
【００１８】
可動翼片２１は、閉鎖位置にあるとき、揺動端が斜め上方を向く起立状態にあって、遊技球の役物２０内への入球を実質的に不能にし、また、開放位置にあるとき、ほぼ水平状態となって、ハウジング２２の上部を一時的に開放して、遊技領域５に打ち込まれた遊技球が役物２０、すなわちハウジング２２内に入球する確率を高くする。ハウジング２２内に入球した遊技球が、ハウジング２２内に設けたＶ入賞口（図示略）に入賞すると、それを契機に、可動翼片２１が所定回数開閉動作を繰り返す等して、遊技者にとって有利な特別遊技状態が発生して、遊技者に所定の遊技価値を付与する。
【００１９】
開閉機構３０は、ハウジング２２の上部に固定されるベースプレート３１と、ソレノイド３２と、ソレノイド３２のプランジャ４１に連結される連結レバー３３と、連結レバー３３を介してプランジャ４１に連結される中継リンク３６と、可動翼片２１と一体的に回動可能なカムレバー３８とを備えている。
【００２０】
ソレノイド３２は、ベースプレート３１に固定されるヨーク４０と、ヨーク４０に左右方向へ移動可能に支持されるプランジャ４１を有している。プランジャ４１は、ヨーク４０との間に介装される円錐状のコイルバネ４３により突出方向（図５〜図８において右方）へ付勢され、ソレノイド３２がオンすると、コイルバネ４３の付勢力に抗して、突出位置（図５参照）から左方へ吸引移動し、また、オフするとコイルバネ４３の付勢力により吸引移動した位置から突出位置に移動する。
【００２１】
連結レバー３３は、その右端部がプランジャ４１に前後方向を向く連結軸３９により枢着され、ソレノイド３２のオン、オフによるプランジャ４１の左右方向への移動に伴って、ヨーク４０の上面に沿って左右方向へ移動する。
【００２２】
中継リンク３６は、ベースプレート３１に前後方向を向く第２支軸３５により上下方向へ回動可能に枢支されるとともに、連結レバー３３に前後方向を向く連結軸３４により回動可能に連結され、ソレノイド３２のオン、オフによりプランジャ４１が左右方向へ移動すると、連結レバー３３を介して、左斜め上方を向く斜め姿勢のロック位置（図５参照）とほぼ水平姿勢の開放位置（図８参照）との間を第２支軸３５を中心に回動する。
【００２３】
中継リンク３６における第２支軸３５から遠心方向へ作用距離Ｌ３（図６参照）離間した位置には、カムレバー３８の後述の第１被作用部をなす係合部３８４に当接することにより、その回動をカムレバー３８を介して可動翼片２１に伝達可能な第１作用部をなす前方が開口する長溝３６２が設けられ、また、同じく第２支軸３５から遠心方向へ作用距離Ｌ３よりも長い作用距離Ｌ４（図６参照）離間した位置には、カムレバー３８の後述の第２被作用部をなすカム部３８２に当接することにより、その回動をカムレバー３８を介して可動翼片２１に伝達可能な第２作用部をなす軸状の突部３６１が前方へ向けて突設されている。
【００２４】
カムレバー３８は、第１支軸３７を介して可動翼片２１と一体的に開放位置と閉鎖位置との間を揺動するようにハウジング２２の上部に枢支されるとともに、上腕部３８１及び下腕部３８３を有する正面視ほぼＣ型をなしている。下腕部３８３の回動端部には、長溝３６２に遊嵌する軸状の係合部３８４が後方へ向けて突設され、また、上腕部３８１の下縁には、第１支軸３７の近傍から遠心方向へ延出し、突部３６１が当接可能なカム部３８２が設けられている。また、カム部３８２の先端寄りの部分は、中継リンク３６がロック位置にあるとき、突部３６１が斜め下方から当接可能な直線状の係合カム部３８２ａを形成する。さらに、上腕部３８１の先端には、下方へほぼ直角に屈曲するストッパ部３８５が設けられている。
【００２５】
図５に示すように、中継レバー３６がロック位置にあって、その突部３６１がカムレバー３８の係合カム部３８２ａに当接しているときは、突部３６１が係合カム部３８２ａに当接する点を作用点Ａとすると、その作用点Ａと第２支軸３５の中心とを結んだ直線Ｌ１は、作用点Ａと第１支軸３７の中心とを結んだ直線Ｌ２に対してほぼ直角になるように、第１、２回転軸３７、３５及び作用点Ａの位置が定められている。したがって、中継リンク３６がロック位置にあるとき、可動翼片２１から入力される開方向（図５において時計方向）への力は、中継リンク３６の回転中心である第２支軸３５に向けて作用し、中継リンク３６を回転させる力としては作用しない。よって、小さなコイルバネ４３の付勢力により、カムレバー３８を介して、可動翼片２１を閉鎖位置に確実に保持することができる。また、遊技領域５に打ち込まれた遊技球が可動翼片２１に衝突する等して、可動翼片２１に開方向へ移動させようとする力が作用しても、突部３６１が係合カム部３８２ａに当接しているため、可動翼片２１は開方向へがた付くこともない。さらには、コイルバネ４３を付勢力を小さくすることが可能となるため、小出力のソレノイド３２をもって、可動翼片２１を開放位置に確実に移動させることができる。
【００２６】
次に、図５〜図８に基づいて、開閉機構３０の動作を説明する。
図５に示すように、可動翼片２１及びカムレバー３８が閉鎖位置にあるときは、ソレノイド３２がオフ状態で、プランジャ４１は、コイルバネ４３の付勢力により突出位置に保持され、中継リンク３６は、連結レバー３３を介してロック位置に保持されている。この状態においては、中継レバー３６の突部３６１がカムレバー３８のカム部３８２に係合して、カムレバー３８の閉鎖位置から開方向への移動は阻止されている。
【００２７】
ソレノイド３２がオンして、プランジャ４１がコイルバネ４３の付勢力に抗して吸引されると、その動作は、連結レバー３３を介して中継リンク３６に伝達される。中継リンク３６がロック位置から開方向（図５において反時計方向）へ所定量回動して、図６に示すように、突部３６１が係合カム部３８２ａから離脱すると、可動翼片２１及びカムレバー３８の開方向へのロックが解除される。これにより、可動翼片２１及びカムレバー３８は、それらの自重、及び中継リンク３６の回動による長溝３６２と係合部２８４との係合により、中継リンク３６の開方向への回動に追従して、図８に示す開放位置に回動する。なお、突部３６１が係合カム部３８２ａから離脱するまでの間、カムレバー３８の係合部３８４は、長溝３６２に係合しないように遊嵌している。
【００２８】
図８に示すように、可動翼片２１及びカムレバー３８が開放位置に回動すると、ソレノイド３２はオフ状態となる。これにより、プランジャ４１は、圧縮状態のコイルバネ４３の付勢力により突出位置へ向けて移動し、その移動は連結レバー３３を介して中継リンク３６に伝達され、可動翼片２１及びカムレバー３８は開放位置から閉鎖位置へ向けて回動する。
【００２９】
この場合、コイルバネ４３の付勢力による中継リンク３６の回動（図８において時計方向への回動）に伴って、先ず、中継リンク３６の初期の回動動作において、長溝３６２の下縁が、カムレバー３８の係合部３８４に係合することによって、カムレバー３８を介して、可動翼片２１は、図７に示す状態を経て、図６に示すように、開放位置から閉鎖方向へ所定角回動した位置まで回動する。このときの動作は、第２支軸３５から近い位置の長溝３６２が係合部３８４に係合するものであるから、可動翼片２１を開放位置から閉鎖方向へ軽い力で回動させることができる。
【００３０】
引き続いて、可動翼片２１が所定角回動すると、今度は、第２支軸３５から長溝３６２よりも遠い位置の突部３６１がカム部３８２に当接することにより、中継リンク３６からカムレバー３８に伝達される回動量を増幅して、可動翼片２１を閉鎖方向へ向けて大きく回動させる。この場合、突部３６１がカム部３８２に当接しつつ遠心方向へ摺接するため、可動翼片２１が閉鎖位置に接近するにしたがって、可動翼片２１の閉鎖速度が漸次減速し、突部３６１がストッパ部３８５に当接した時点で、可動翼片２１及びカムレバー３８は閉鎖位置に停止する。これにより、小さなコイルバネ４３の付勢力により、可動翼片２１を開放位置から閉鎖位置へ効率的に回動させることができる。
【００３１】
以上、本発明の実施形態について説明したが、本発明の要旨を逸脱しない範囲内で、本実施形態に対して、次のような種々の変形や変更を施すことが可能である。
（ｉ）ソレノイド３２のプランジャ３９を中継リンク３６に直接連結する。
（ii）中継リンク３６の長溝３６２を突状とし、カムレバー３９の係合部３８４を突状の長溝３６２が遊嵌するカム溝状とする。
【図面の簡単な説明】
【００３２】
【図１】本発明が適用されるパチンコ機の正面図である。
【図２】役物を斜め後方から見たその斜視図である。
【図３】開閉機構の斜視図である。
【図４】開閉機構の分解斜視図である。
【図５】可動翼片が閉鎖位置にあるときの開閉機構の正面図である。
【図６】可動翼片が開閉動作中の開閉機構の正面図である。
【図７】可動翼片が開閉動作中の開閉機構の正面図である。
【図８】可動翼片が開放位置にあるときの開閉機構の正面図である。
【符号の説明】
【００３３】
１  パチンコ機
２  外枠
３  外側ガイドレール
４  内側ガイドレール
５  遊技領域
６  遊技盤
７  ガラス枠扉
８  球供給皿
９  操作ハンドル
１０  第１始動入賞口
１１  第２始動入賞口
１２  アウト口
２０  役物
２１  可動翼片
２２  ハウジング
３０  開閉機構
３１  ベースプレート
３２  ソレノイド
３３  連結レバー
３４  連結軸
３５  第２支軸
３６  中継リンク
３７  第１支軸
３８  カムレバー
３９  連結軸
４０  ヨーク
４１  プランジャ
４３  コイルバネ
３６１  突部（第２作用部）
３６２  長溝（第１作用部）
３８１  上腕部
３８２  カム部（第２被作用部）
３８２ａ  係合カム部
３８３  下腕部
３８４  係合部（第１被作用部）
３８５  ストッパ部
Ａ  作用点
【図１】
2009011524.tif 000003
【図２】
2009011524.tif 000004
【図３】
2009011524.tif 000005
【図４】
2009011524.tif 000006
【図５】
2009011524.tif 000007
【図６】
2009011524.tif 000008
【図７】
2009011524.tif 000009
【図８】
2009011524.tif 000010